(57)【要約】【課題】単に使い易い毛髪巻き具を提供するのみならず、使用するに伴って使用環境が向上するようにする。【解決手段】棒状の巻き具本体１を設け、巻き具本体１の外周に毛髪を巻き付け自在な巻き付け周面部１ａを形成してある毛髪巻き具において、巻き具本体１に、外気に接する状態に炭素Ｃを具備させてある。【選択図】　　　　図２
2004113464.tif 000002
【特許請求の範囲】
【請求項１】
棒状の巻き具本体を設け、前記巻き具本体の外周に毛髪を巻き付け自在な巻き付け周面部を形成してある毛髪巻き具であって、
前記巻き具本体に、外気に接する状態に炭素を具備させてある毛髪巻き具。
【請求項２】
前記巻き具本体は、炭素で形成してある請求項１に記載の毛髪巻き具。
【請求項３】
前記巻き具本体は、炭素に合成樹脂を含浸させて形成してある請求項１に記載の毛髪巻き具。
【請求項４】
前記巻き具本体は、粒状の炭素とバインダーとを混合成形して形成してある請求項１に記載の毛髪巻き具。
【請求項５】
前記巻き具本体は、繊維状の炭素とバインダーとを一体成形して形成してある請求項１に記載の毛髪巻き具。
【請求項６】
前記巻き具本体は、合成樹脂製の母体の表面に前記炭素が位置する状態に形成してある請求項１に記載の毛髪巻き具。
【請求項７】
前記巻き具本体は、表面に長手方向に沿った縦溝部を設けてあり、前記縦溝部内に前記炭素を位置させてある請求項６に記載の毛髪巻き具。
【請求項８】
前記巻き具本体は、筒状に形成してあり、前記巻き具本体の中空部には、前記出し入れ自在な状態に前記炭素を設けてある一方、前記巻き具本体の周壁部には筒径方向に沿って貫通する複数の通気孔を設けてある請求項１〜７の何れか一項に記載の毛髪巻き具。
【請求項９】
棒状の巻き具本体と、その外周に毛髪に添えて巻き込み自在な添えペーパとからなる毛髪巻き具であって、
前記添えペーパの繊維中に炭素を位置させてある毛髪巻き具。
【発明の詳細な説明】
【０００１】
【発明の属する技術分野】
本発明は、棒状の巻き具本体を設け、前記巻き具本体の外周に毛髪を巻き付け自在な巻き付け周面部を形成してある毛髪巻き具に関する。
【０００２】
【従来の技術】
従来、この種の毛髪巻き具としては、例えば、パーマネントの際に毛髪を巻き付けて使用するものがあり、図１１に示すように、棒状の巻き具本体１を設け、前記巻き具本体１の外周に毛髪２を巻き付け自在な巻き付け周面部１ａを形成してあり、前記巻き具本体１の両端部には、外れ止め用のゴムリングを係止させる鋸刃状の複数の係止爪１ｂを設けてあるものがあった（例えば、特許文献１参照）。そして、材質は、合成樹脂で形成してあった。
【０００３】
【特許文献１】
特開平１０−２７２０１１号公報（段落番号〔０００６〕、図３２）
【０００４】
【発明が解決しようとする課題】
上述した従来の毛髪巻き具は、あくまで毛髪のパーマネントを効率的に実施できるようにすることに主眼をおいて開発されてきた。従って、丈夫で取扱性がよいと言う点では優れたものとして世に提供されている。しかしながら、開発の目的は上述の通り、使用上の機能性追求に絞られているから、他の機能を付加するという発想は従来の開発背景にはなかった。
【０００５】
そこで、本発明においては、単に使い易い毛髪巻き具を提供するのみならず、使用するに伴って使用環境が向上する毛髪巻き具を提供すると言う目的を付加したものである。
【０００６】
【課題を解決するための手段】
請求項１の発明の特徴構成は、棒状の巻き具本体を設け、前記巻き具本体の外周に毛髪を巻き付け自在な巻き付け周面部を形成してある毛髪巻き具において、前記巻き具本体に、外気に接する状態に炭素を具備させてあるところにある。
【０００７】
請求項１の発明の特徴構成によれば、巻き具本体に、外気に接する状態に炭素を具備させてあるから、その炭素の働きにより、マイナスイオン効果を付加することが可能となる。
炭素には、空気をマイナスイオン化して、ストレスの溜まった体のプラスイオンを中和させ、更に、電磁波を取り除き、体を健康にする働きがあることが知られており、当該発明品（毛髪巻き具）を使用するに伴って、この様なマイナスイオン効果をも期待することが可能となる。従って、健康促進や環境保全を叶えることが可能となる。
また、古くから知られている炭素の脱臭作用によって、例えば、臭いのきついパーマ液を使用するような場合でも、その臭いを和らげる効果もあり、使用感の向上を図ることも可能となる。
【０００８】
請求項２の発明の特徴構成は、前記巻き具本体は、炭素で形成してあるところにある。
【０００９】
請求項２の発明の特徴構成によれば、請求項１の発明による作用効果を叶える上で、巻き具本体の全体が、上述の作用を備えた炭素で形成してあるから、より効率よく且つ強力に前記作用効果の実現を図ることが可能となる。
更には、炭素素材そのものが軽く形成できることから、巻き具本体の重量軽減を図り、より取扱性を向上させることが可能となる。
【００１０】
請求項３の発明の特徴構成は、前記巻き具本体は、炭素に合成樹脂を含浸させて形成してあるところにある。
【００１１】
請求項３の発明の特徴構成によれば、請求項１の発明による作用効果を叶えることができるのに加えて、炭素によるマイナスイオン効果や脱臭効果に加えて、合成樹脂による強化が図られることから、丈夫で取り扱い易い毛髪巻き具にすることが可能となる。
【００１２】
請求項４の発明の特徴構成は、前記巻き具本体は、粒状の炭素とバインダーとを混合成形して形成してあるところにある。
【００１３】
請求項４の発明の特徴構成によれば、請求項１の発明による作用効果を叶えることができるのに加えて、炭素粒によるマイナスイオン効果や脱臭効果に加えて、合成樹脂による強化が図られ、しかも、全体としてバラツキの少ない性質を備えた製品にすることができ、丈夫で取り扱い易い毛髪巻き具にすることが可能となる。
【００１４】
請求項５の発明の特徴構成は、前記巻き具本体は、繊維状の炭素とバインダーとを一体成形して形成してあるところにある。
【００１５】
請求項５の発明の特徴構成によれば、請求項１の発明による作用効果を叶えることができるのに加えて、炭素繊維による補強効果を期待することが可能となり、より強度の高い、耐久性の高い毛髪巻き具を提供することが可能となる。
【００１６】
請求項６の発明の特徴構成は、前記巻き具本体は、合成樹脂製の母体の表面に前記炭素が位置する状態に形成してあるところにある。
【００１７】
請求項６の発明の特徴構成によれば、請求項１の発明による作用効果を叶えることができるのに加えて、母体を合成樹脂によって形成してあるから、力学特性等は従来のものと同様である状態を維持しながら、上述の炭素が備えた作用効果を発揮することができ、更には、炭素の使用量を抑制し、コストアップ化を緩和することができる。
また、母体表面に炭素を突出する状態に設けてあれば、毛髪を巻く際の抵抗となり易く、滑り難く巻きやすい毛髪巻き具とすることができる。
【００１８】
請求項７の発明の特徴構成は、前記巻き具本体は、表面に長手方向に沿った縦溝部を設けてあり、前記縦溝部内に前記炭素を位置させてあるところにある。
【００１９】
請求項７の発明の特徴構成によれば、請求項６の発明による作用効果を叶えることができるのに加えて、毛髪を巻き具本体の表面に巻き付けた状態でも、前記縦溝部内の空間によって、空気の流通が確保できる。従って、髪を巻き付けた状態でも、縦溝部内の炭素によって上述の各作用効果を叶え続けることができる。
【００２０】
請求項８の発明の特徴構成は、前記巻き具本体は、筒状に形成してあり、前記巻き具本体の中空部には、前記出し入れ自在な状態に前記炭素を設けてある一方、前記巻き具本体の周壁部には筒径方向に沿って貫通する複数の通気孔を設けてあるところにある。
【００２１】
請求項８の発明の特徴構成によれば、請求項１〜７の何れかの発明による作用効果を叶えることができるのに加えて、中空部内に納めた炭素による各効果（マイナスイオン効果や脱臭効果）を、通気孔を通して巻き具本体の外周側でも発揮することができる。
更には、前記中空部内の炭素を新しいものに交換する等と言ったメンテナンスを簡単に行うことが可能となり、より長く使用することができるようになる。
【００２２】
請求項９の発明の特徴構成は、棒状の巻き具本体と、その外周に毛髪に添えて巻き込み自在な添えペーパとからなる毛髪巻き具であって、
前記添えペーパの繊維中に炭素を位置させてあるところにある。
【００２３】
請求項９の発明の特徴構成によれば、棒状の巻き具本体の外周に毛髪に添えて前記添えペーパを巻き込むに伴って、添えペーパの繊維中の炭素の働きによって、前記マイナスイオン効果や脱臭効果を発揮することが可能となる。
【００２４】
【発明の実施の形態】
以下に本発明の実施の形態を図面に基づいて説明する。尚、図面において従来例と同一の符号で表示した部分は、同一又は相当の部分を示している。
【００２５】
図１〜１０は、本発明の毛髪巻き具に関する各実施形態を示すもので、各毛髪巻き具Ｈは、単なる毛髪の癖付けに使用したり、パーマネントの際に毛髪を巻き付けて使用することができる。
そして、各毛髪巻き具Ｈについて共通する構成に関しては、以下の通りである。
前記毛髪巻き具Ｈは、棒状の巻き具本体１を設け、前記巻き具本体１の外周に毛髪２を巻き付け自在な巻き付け周面部１ａを形成してあり、前記巻き具本体１の両端部には、外れ止め用のゴムリング３を係止させる鋸刃状の複数の係止爪１ｂを設けて構成してある。
そして、特に、パーマネントの際に使用する場合には、図１に示すように、前記巻き具本体Ｈの外周に毛髪２に添えて添えペーパＰを一緒に巻き込んで、その上からパーマ液等を掛けながら毛髪の癖付けが実施されることがある。この場合は、前記巻き具本体１と添えペーパＰとで毛髪巻き具Ｈが構成される。
【００２６】
〔第一実施形態〕
毛髪巻き具Ｈ１は、図２に示すように、巻き具本体１を筒形状に形成してあり、素材は、炭素Ｃによって構成してある。
この毛髪巻き具Ｈ１は、例えば、炭Ｃ１を切削加工する等の方法で形成することができる。
また、巻き具本体１の周壁部には、筒径方向に沿って貫通する複数の通気孔４を形成してある。従って、巻き付け周面部１ａに毛髪を巻き付けた状態でも、巻き付け周面部１ａ近傍は、前記通気孔４、筒内空部を通して外気に触れることができる。従って、巻き付け周面部１ａに接している毛髪の湿度調整作用を期待することができる。また、巻き具本体１自体も外気に接触していることから、炭素が備えたマイナスイオン効果や脱臭効果を発揮することができるものである。
また、巻き具本体１が上述のように実質的には炭から構成されているので、全体を非常に軽量にすることができ、取扱性がよくなり、毛髪巻き付け作業の効率をも向上させることが可能となる。
【００２７】
本実施形態の毛髪巻き具Ｈ１の使用例を説明すると、
【００２８】
［１］　予め、毛髪２の対応部分を櫛等を使用して束ねておき、巻き具本体１の巻き付け周面部１ａに添えた状態で巻き具本体１を軸芯周りに回転させて、毛髪２を巻き付ける。その際、パーマ液等を巻き取り部分に掛けることもある。また、必要に応じて、前記添えペーパＰを毛髪２の間に挟み込んだ状態に巻き取ることもある。
［２］　両端部の係止爪１ｂにゴムリング３を掛け渡すことで外れ止めを図る。
【００２９】
以上の状態で放置することによって、毛髪に癖付けを行うことができる。
【００３０】
〔第二実施形態〕
毛髪巻き具Ｈ２は、図３に示すように、巻き具本体１を筒形状に形成してあり、素材は、炭素Ｃに合成樹脂を含浸させて形成してある。
この毛髪巻き具Ｈ２は、例えば、第一実施形態で説明したような炭Ｃ１の巻き具本体１を、液状の合成樹脂に浸漬する等の方法で形成することができる。
また、巻き具本体１の周壁部には、筒径方向に沿って貫通する複数の通気孔４を形成してある。従って、巻き付け周面部１ａに毛髪を巻き付けた状態でも、巻き付け周面部１ａ近傍は、前記通気孔４、筒内空部を通して外気に触れることができる。従って、巻き付け周面部１ａに接している毛髪の湿度調整作用を期待することができる。また、巻き具本体１自体も外気に接触していることから、炭素が備えたマイナスイオン効果や脱臭効果を発揮することができるものである。
また、巻き具本体１が上述のように実質的には炭を主体として構成されているので、全体を非常に軽量にすることができ、しかも、含浸させた合成樹脂による補強効果も期待することができ、取扱性・耐久性が共によくなり、毛髪巻き付け作業の効率をも向上させることが可能となる。
【００３１】
本実施形態の毛髪巻き具Ｈ２の使用例は、基本的には、第一実施形態と同様である。
【００３２】
〔第三実施形態〕
毛髪巻き具Ｈ３は、図４に示すように、巻き具本体１を筒形状に形成してあり、素材は、粒状の炭素Ｃ３とバインダーＢとなる合成樹脂とを混合成形して形成してある。
この毛髪巻き具Ｈ３は、例えば、粒状に形成した炭素、及び、合成樹脂を混合した後、加熱溶融によって一体化して成形する等の方法で形成することができる。
また、巻き具本体１の周壁部には、筒径方向に沿って貫通する複数の通気孔４を形成してある。従って、巻き付け周面部１ａに毛髪を巻き付けた状態でも、巻き付け周面部１ａ近傍は、前記通気孔４、筒内空部を通して外気に触れることができる。従って、巻き付け周面部１ａに接している毛髪の湿度調整作用を期待することができる。また、巻き具本体１自体も外気に接触していることから、粒状の炭素が備えたマイナスイオン効果や脱臭効果を発揮することができるものである。
また、巻き具本体１の表面に粒状の炭素が位置することで、毛髪を巻き取る際の滑り止め作用を期待することが可能となり、毛髪を巻き付けやすくなる。そして、粒状の炭素と、バインダーの合成樹脂との配合比率を、自由に変化させた製品を提供することができ、目的・価格的なバリエーションを豊富に備えることが可能となる。
【００３３】
本実施形態の毛髪巻き具Ｈ２の使用例は、基本的には、第一実施形態と同様である。
【００３４】
〔第四実施形態〕
毛髪巻き具Ｈ４は、図５に示すように、巻き具本体１を筒形状に形成してあり、素材は、繊維状の炭素Ｃ４とバインダーＢとなる合成樹脂とを一体成形して形成してある
この毛髪巻き具Ｈ３は、例えば、繊維状の炭素Ｃ４を長手方向に束ねた状態で合成樹脂を混合した後、加熱溶融によって一体化して成形する等の方法で形成することができる。即ち、繊維方向を巻き具本体１の長手方向に整列してあることで、巻き具本体１に対する曲げ強度が向上する。
また、巻き具本体１の周壁部には、筒径方向に沿って貫通する複数の通気孔４を形成してある。従って、巻き付け周面部１ａに毛髪を巻き付けた状態でも、巻き付け周面部１ａ近傍は、前記通気孔４、筒内空部を通して外気に触れることができる。従って、巻き付け周面部１ａに接している毛髪の湿度調整作用を期待することができる。また、巻き具本体１自体も外気に接触していることから、繊維状の炭素が備えたマイナスイオン効果や脱臭効果を発揮することができるものである。
【００３５】
本実施形態の毛髪巻き具Ｈ２の使用例は、基本的には、第一実施形態と同様である。
【００３６】
〔第五実施形態〕
毛髪巻き具Ｈ５は、図６に示すように、巻き具本体１を筒形状に形成してあり、素材は、合成樹脂製の母体１Ａの露出面に粒状の炭素Ｃ５が位置する状態に形成してある。
この毛髪巻き具Ｈ５は、例えば、合成樹脂で形成された母体１Ａの周面に接着剤を用いて粒状の炭素Ｃ５を付ける等の方法で形成することができる。その際、筒内空部にも粒状の炭素Ｃ５が位置する状態に形成するのが好ましい。
巻き付け周面部１ａに位置している粒状の炭素Ｃ５は、毛髪が滑るのを防止できるから、毛髪を巻き付けやすくなる。また、その他の部分も、巻き取り操作の際の滑り止め効果が発揮されるので、非常に取り扱いやすくなる。
【００３７】
また、通気孔４の構成や、使用方法に関しては、先の各実施形態と同様である。
【００３８】
〔第六実施形態〕
毛髪巻き具Ｈ６は、図７に示すように、巻き具本体１を筒形状に形成してあり、その表面に長手方向に沿った縦溝部１ｃを周方向に間隔をあけて形成してある。
素材は、合成樹脂によって形成してあり、前記縦溝部１ｃの溝底部分には、図７（ロ）に示すように、炭素Ｃ６を一体的に設けてある。この炭素Ｃ６は、前記縦溝部１ｃのほぼ全長にわたって溝底部に設けてある。そして、例えば、合成樹脂で形成された巻き具本体１の前記縦溝部１ｃ内に、接着剤を用いて炭素Ｃ６を付ける等の方法で形成することができる。
縦溝部１ｃの溝底部分に炭素Ｃ６を設けてあるから、毛髪２を巻き具本体１に巻き付けた状態でも、炭素Ｃ６の表面には空間が確保されており、この空間が外部空間に連通しているから、炭素Ｃ６が外気に接触した状態を維持することができる。その結果、前述のマイナスイオン効果や脱臭効果を発揮することができる。更には、炭素Ｃ６は、縦溝部周縁部で保護された状態となっており、他物が巻き具本体１に接触しても炭素Ｃ６には直接的に当接することは少なく、脱落し難く、長期にわたって炭素の効果を維持することができる。
【００３９】
また、通気孔４の構成や、使用方法に関しては、先の各実施形態と同様である。
【００４０】
〔第七実施形態〕
毛髪巻き具Ｈ７は、図８に示すように、巻き具本体１を筒形状に形成してあり、前記巻き具本体１の中空部には、前記出し入れ自在な状態に粒状の炭素Ｃ７を設けてある。そして、前記巻き具本体１の周壁部には筒径方向に沿って貫通する複数の通気孔４を設けてある。この実施形態においては、巻き具本体１は、合成樹脂で構成してあり、前記通気孔４の寸法は、当然のことながら、前記内空部に充填された粒状の炭素Ｃ７が通過して外部に漏れ出ることがないように設定してある。
また、巻き具本体１の両端開口部には、前記粒状の炭素７が外に出ないための蓋５を着脱自在に設けてある。尚、蓋５にも、通気孔４が複数形成してある。
従って、前記巻き具本体１や蓋５の通気孔４を通して、巻き具本体１内空部の炭素Ｃ７は外気に接触することができ、その結果、前述のマイナスイオン効果や脱臭効果を発揮することができる。更には、炭素Ｃ７は、巻き具本体１と蓋５とで保護された状態となっており、他物が巻き具本体１や蓋５に接触しても炭素Ｃ７には直接的に当接することは少なく、割れたり砕け出たりすることが無く、長期にわたって炭素の効果を維持することができる。また、炭素の交換も簡単に実施することができる。
【００４１】
また、使用方法に関しては、先の各実施形態と同様である。
【００４２】
〔第八実施形態〕
毛髪巻き具Ｈ８は、図９に示すように、筒形状で合成樹脂製の巻き具本体１と、前記添えペーパＰとで構成されている。
前記巻き具本体１は、前記第一〜第七実施形態で説明したものか、又は、単に合成樹脂を主体として形成した従来の巻き具と同様のものを使用することができる。
また、前記添えペーパＰは、繊維中に炭素Ｃ８を織り込んで形成してあり、毛髪２を巻き具本体１に毛髪２を巻き取る際に、毛髪２に沿わせるだけで、毛髪２を束ねた状態にして扱うことができると共に、例えば、パーマ液を使用するような場合に、パーマ液を添えペーパＰによって保持しやすく、パーマ液が過剰でも垂れたりするのを防止し易い。そして、繊維中の炭素Ｃ８の働きで、上述のマイナスイオン効果や脱臭効果等を発揮することができる。
【００４３】
〔別実施形態〕
以下に他の実施の形態を説明する。
【００４４】
〈１〉　前記巻き具本体１は、先の各実施形態で説明した円筒形状のものに限るものではなく、例えば、角筒形状や、円柱形状や、角柱形状に形成してあるものであってもよく、それらを総称して巻き具本体１と言う。
また、長手方向の中央部が端部に比べて小径に形成してあったり、その逆に、長手方向の中央部が端部に比べて大径に形成してあるものであってもよい。
〈２〉　前記巻き具本体１の端部に形成された係止爪１ｂは、先の実施形態で説明した形状のものに限るものではなく、例えば、図１０に示すように、先細り形状に形成してあれば、ゴムリング３を係止させる際に、係止させ易くなる。
〈３〉　前記毛髪巻き具Ｈは、先の実施形態で説明した各製造方法に限るものではなく、他の製造方法によって形成することも可能である。
【００４５】
尚、上述のように、図面との対照を便利にするために符号を記したが、該記入により本発明は添付図面の構成に限定されるものではない。
【図面の簡単な説明】
【図１】毛髪巻き具の使用状況を示す斜視図
【図２】第一実施形態の毛髪巻き具を示す斜視図
【図３】第二実施形態の毛髪巻き具を示す斜視図
【図４】第三実施形態の毛髪巻き具を示す斜視図と要部断面図
【図５】第四実施形態の毛髪巻き具を示す斜視図と要部断面図
【図６】第五実施形態の毛髪巻き具を示す斜視図
【図７】第六実施形態の毛髪巻き具を示す斜視図と横断面図
【図８】第七実施形態の毛髪巻き具を示す斜視図
【図９】第八実施形態の毛髪巻き具を示す斜視図
【図１０】別実施形態の毛髪巻き具を示す要部斜視図
【図１１】従来例の毛髪巻き具を示す斜視図
【符号の説明】
１　　　巻き具本体
１ａ　　巻き付け周面部
１ｃ　　縦溝部
１Ａ　　母体
２　　　毛髪
４　　　通気孔
Ｂ　　　バインダー
Ｃ　　　炭素
Ｃ１　　炭
Ｃ３　　粒状の炭素
Ｃ４　　繊維状の炭素
Ｃ５　　粒状の炭素
Ｃ６　　炭素
Ｃ７　　粒状の炭素
Ｃ８　　炭素
Ｐ　　　添えペーパ
【図１】
2004113464.tif 000003
【図２】
2004113464.tif 000004
【図３】
2004113464.tif 000005
【図４】
2004113464.tif 000006
【図５】
2004113464.tif 000007
【図６】
2004113464.tif 000008
【図７】
2004113464.tif 000009
【図８】
2004113464.tif 000010
【図９】
2004113464.tif 000011
【図１０】
2004113464.tif 000012
【図１１】
2004113464.tif 000013